(57)【要約】【課題】目視判断すること無しに、人による測定差を小さくすることによって、精度の高いベルト角度の測定方法を提供する。【解決手段】側面が所定の角度を有する動力伝動用ベルトで該側面の角度を測定する方法であって、センタ付サインバー２を用い、センタ付サインバー２に動力伝動用ベルト１を固定しベルト側面２７の角度をテコ式ダイヤルゲージ２１を用いて測定する動力伝動用ベルトの角度測定方法である。【選択図】図３
2006017702.tif 000002
【特許請求の範囲】
【請求項１】
側面が所定の角度を有する動力伝動用ベルトで該側面の角度を測定する方法であって、角度測定用固定手段を用い、角度測定用固定手段に動力伝動用ベルトを固定しベルト側面の角度を角度測定具を用いて測定することを特徴とする動力伝動用ベルトの角度測定方法。
【請求項２】
前記角度測定用固定手段がセンタ付サインバーで、角度測定具がテコ式ダイヤルゲージである請求項１に記載の動力伝動用ベルトの角度測定方法。
【請求項３】
側面が所定の角度を有する動力伝動用ベルトで該側面の角度を測定する方法であって、定盤上にセンタ式サインバーを置き、センタにてベルトを固定し、該センタ式サインバーを該側面の傾斜角のみ測定するベルト側面が該定盤と平行になる方向に傾け、該側面をテコ式ダイヤルゲージにて移動しながら測定し、最大値と最小値の差を求め、その差を角度換算し、ベルト角度の規格と照らし合わせて合格か否かを判定することを特徴とする動力伝動用ベルトの角度検査方法。
【発明の詳細な説明】
【技術分野】
【０００１】
本発明は、動力伝動用ベルトの角度測定方法及び角度検査方法に係り、ベルト角度を正確に測定する方法に関する。
【背景技術】
【０００２】
従来、Ｖベルトの角度は、図７及び図８のように、１度単位のＶバーニアゲージ３１をベルトに当て検査している。ベルト下部に隙間ができる場合はベルト角度が大きい、ベルト上部に隙間ができる場合は角度が小さいと判定している。
又、図１１のように抜き取り検査で、投影機でベルト断面を投影し、角度測定をしている。さらに、図１３のようにプロトラクター３３を使用して角度測定をしている場合もあった。
【０００３】
しかし、従来のＶバーニアゲージ３１では１度単位でしか測定できず、±１度を測定する精度がない。ベルト側面は心線が飛び出ており、さらに図９及び図１０のように帆布が変形しているものもあり、ゲージに正確に当たらない。人による差も出てしまっていた。
【０００４】
投影機での測定も、図１２のようにゴム側面が直線でなく、線のとり方によっても変わり、これも人による差が出ていた。
【０００５】
プロトラクター３３も、ベルト側面に凹凸があることから、ベルトを押える力によって変わり、人による差が出ていた。
【発明の開示】
【発明が解決しようとする課題】
【０００６】
本発明は、目視判断すること無しに、人による測定差を小さくすることによって精度の高いベルト角度の測定方法を提供するものである。
【課題を解決するための手段】
【０００７】
本発明は、側面が所定の角度を有する動力伝動用ベルトで該側面の角度を測定する方法であって、角度測定用固定手段を用い、角度測定用固定手段に動力伝動用ベルトを固定しベルト側面の角度を角度測定具を用いて測定する動力伝動用ベルトの角度測定方法にある。
【０００８】
請求項２に記載の発明は、前記角度測定用固定手段がセンタ付サインバーで、角度測定具がテコ式ダイヤルゲージである請求項１に記載の動力伝動用ベルトの角度測定方法にある。
【０００９】
請求項３に記載の発明は、側面が所定の角度を有する動力伝動用ベルトで該側面の角度を測定する方法であって、定盤上にセンタ式サインバーを置き、センタにてベルトを固定し、該センタ式サインバーを該側面の傾斜角のみ測定するベルト側面が該定盤と平行になる方向に傾け、該側面をテコ式ダイヤルゲージにて移動しながら測定し、最大値と最小値の差を求め、その差を角度換算し、ベルト角度の規格と照らし合わせて合格か否かを判定する動力伝動用ベルトの角度検査方法である。
【発明の効果】
【００１０】
本発明によると、側面が所定の角度を有する動力伝動用ベルトで該側面の角度を測定する方法であって、角度測定用固定手段を用い、角度測定用固定手段に動力伝動用ベルトを固定しベルト側面の角度を角度測定具を用いて測定する動力伝動用ベルトの角度測定方法。であることから、目視ではなく、機械的にベルト角度を測定することによって、精度の高いベルト角度の測定方法となるという効果がある。
【００１１】
請求項２に記載の発明によると、前記角度測定用固定手段がセンタ付サインバーで、角度測定具がテコ式ダイヤルゲージである請求項１に記載の動力伝動用ベルトの角度測定方法であることから、請求項１の効果に加えてより精度の高い測定をすることができるという効果がある。
【００１２】
請求項３に記載の発明によると、側面が所定の角度を有する動力伝動用ベルトで該側面の角度を測定する方法であって、定盤上にセンタ式サインバーを置き、センタにてベルトを固定し、該センタ式サインバーを該側面の傾斜角のみ測定するベルト側面が該定盤と平行になる方向に傾け、該側面をテコ式ダイヤルゲージにて移動しながら測定し、最大値と最小値の差を求め、その差を角度換算し、ベルト角度の規格と照らし合わせて合格か否かを判定する動力伝動用ベルトの角度検査方法であることから、機械的な検査方法を採用することによって、ベルト角度を測定する為の精度の高い検査方法とする効果がある。
【発明を実施するための最良の形態】
【００１３】
本発明の測定方法は、主にカットエッジタイプのＶベルト１に使用される。図１に示されるＶベルト１は心線３を埋設した接着ゴム層５と圧縮ゴム層７とから構成され、更に上記接着ゴム層５及び圧縮ゴム層７の各表面層にゴム付帆布９を積層している。そして、ベルトはベルト角度θを有している。
【００１４】
本発明のベルト角度測定方法では、センタ付サインバー２を用いる。センタ付サインバーとは、図２に示すように、サインバーの本体（測定面）に両センタ保持具４をその中心線をサインバーの回転軸に正しく直角に測定面に取り付けたもので、センタ付テーパプラグゲージ６などのテーパ角度（但し半角）の測定・検査に使用するものである。図２のように、ブロックゲージ１１でテーパの半角に当たる角度を設定してセンタ付テーパプラグゲージ６をセットし、ダイヤルゲージ１３でテーパ面１５を走らせて定盤１７との平行度をチェックして検査する。平行度が出ていなければ、ブロックゲージ１１を加減して平行にすることにより、誤差を求めることができる。
【００１５】
又、本発明で使用するテコ式ダイヤルゲージ１０とは、測定子８がてこの一部を形成し、その動きを歯車機構により拡大して、ダイヤル目盛１２と指針１４によって読み取るものである。測定子の動き方向を切換レバーによって切換えるものと、ノークラッチ形と呼ばれ、測定子が中央より上へ動くと指針は右（又は左）に、下へ動くと左（右）に動くものとがある。その例を図３から図５に示す。
【００１６】
次に、本発明の動力伝動用ベルト１の角度θを測定及び検査する方法を説明する。図６はその測定方法を示した図である。図６において、先ず、定盤１７を設置し、その定盤１７に垂直に支持棒１９を立てる。その支持棒に垂直にテコ式ダイヤルゲージ２１を支持した支持体２３を支持棒１９に組み付ける。このときテコ式ダイヤルゲージ２１を支持した支持体２３と定盤１７とは平行となっている。
【００１７】
そして、次に、センタ２５にて動力伝動用ベルト１を挟持する。そして、ブロックゲージ１１を用いベルト角度の半角度のみセンタ付サインバー２を傾ける。そして、動力伝動用ベルト１の側面２７に沿ってテコ式ダイヤルゲージ２１にてなぞり、テコ式ダイヤルゲージ２１の指針の最大値と最小値を読み取る。その最大値と最小値との差Ｒと動力伝動用ベルト１の高さｈとでtanθ１´を算出、θ１´を求める。同様にして、他方の側面を測定して、θ２´を求め、角度誤差θ´をθ１´とθ２´を加えたものとして求める。そして求めた角度誤差θ´が角度公差の許容範囲にあるかどうかで合否の判定を行う。
【図面の簡単な説明】
【００１８】
【図１】本発明の対象となるＶベルトの概略断面図である。
【図２】本発明で用いるセンタ付きサインバーの使用法を示した図である。
【図３】本発明で用いるテコ式ダイヤルゲージの例を示した図である。
【図４】本発明で用いるテコ式ダイヤルゲージの例を示した図である。
【図５】本発明で用いるテコ式ダイヤルゲージの例を示した図である。
【図６】本発明の動力伝動用ベルトの角度測定及び検査方法を示した概略図である。
【図７】従来の動力伝動用ベルトの角度測定方法であり、Ｖバーニアゲージを用いたものである。
【図８】従来の動力伝動用ベルトの角度測定方法であり、Ｖバーニアゲージを用いたものである。
【図９】従来の動力伝動用ベルトの角度測定方法であり、Ｖバーニアゲージを用いたものであって、帆布が変形したものを測定した図である。
【図１０】従来の動力伝動用ベルトの角度測定方法であり、Ｖバーニアゲージを用いたものであって、帆布が変形したものを測定した図である。
【図１１】従来の動力伝動用ベルトの角度測定方法であり、投影機を用いた方法を示した概略図である。
【図１２】従来の動力伝動用ベルトの角度測定方法であり、投影機を用いたものであって、ベルトのゴム側面が直線ではないものを測定している図を示す。
【図１３】従来の動力伝動用ベルトの角度測定方法であり、プロトラクターを用いたものである。
【符号の説明】
【００１９】
１    Ｖベルト
２    センタ付きサインバー
３    心線
４    両センタ保持具
５    接着ゴム層
７    圧縮ゴム層
８    測定子
９    ゴム付帆布
１０    テコ式ダイヤルゲージ
１１    ブロックゲージ
１２    ダイヤル目盛
１３    ダイヤルゲージ
１４    指針
１５    テーパ面
１７    定盤
１９    支持棒
２１    テコ式ダイヤルゲージ
２３    支持体
２５    センタ
２７    側面
θ    ベルト角度
ｈ    ベルトの高さ
【図１】
2006017702.tif 000003
【図２】
2006017702.tif 000004
【図３】
2006017702.tif 000005
【図４】
2006017702.tif 000006
【図５】
2006017702.tif 000007
【図６】
2006017702.tif 000008
【図７】
2006017702.tif 000009
【図８】
2006017702.tif 000010
【図９】
2006017702.tif 000011
【図１０】
2006017702.tif 000012
【図１１】
2006017702.tif 000013
【図１２】
2006017702.tif 000014
【図１３】
2006017702.tif 000015